【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信することと、
サービングセル変更を実行することであって、前記第１の基地局または前記第２の基地局が、前記ＵＥに対するサービングセルとしての活動を続けることと、
前記サービングセル変更前の前記フローに対応するデータを、前記サービングセル変更後に前記ＵＥに送信するための前記活動サービングセルの待ち行列内で維持するよう求める命令を前記活動サービングセルに送ることと、
を備える方法。
【請求項２】
前記第１のサービングセルおよび前記第２のサービングセルのセル品質をランク付けした報告を前記ＵＥから受信することであって、前記ランク付けされたセル品質による最強のセル品質に基づいて前記活動サービングセルが選択されること
をさらに備え、
前記活動サービングセルは１次サービングセルであり、非選択サービングセルは２次サービングセルである、請求項１に記載の方法。
【請求項３】
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、請求項２に記載の方法。
【請求項４】
前記サービングセル変更前の前記フローに対応するデータを、前記サービングセル変更後に前記ＵＥに送信するための前記活動サービングセルの待ち行列内で維持するよう求める命令を前記活動サービングセルに送ること
をさらに備える、請求項３に記載の方法。
【請求項５】
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記１次サービングセルの前記セル品質が前記２次サービングセルの前記セル品質を上回るときに、前記２次セルを前記１次サービングセルに置き換えることによって、２次サービングセル変更を実行することであって、前記１次サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることと
をさらに備える、請求項４に記載の方法。
【請求項６】
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記近隣サービングセルの前記セル品質が前記２次サービングセルの前記セル品質を上回るときに、前記２次セルを前記近隣サービングセルに置き換えることによって、２次サービングセル変更を実行することであって、前記近隣サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることと
をさらに備える、請求項４に記載の方法。
【請求項７】
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記新しい１次サービングセルの待ち行列内で前記フローに対応する前記データを維持することと、
前記１次サービングセルの待ち行列内の前記フローに対応する前記データをフラッシュすることと
をさらに備える、請求項４に記載の方法。
【請求項８】
前記２次サービングセルの前記セル品質が所定のしきい値を下回るときに、前記ＵＥに関連する前記アクティブセットから前記２次サービングセルを除去することと、
前記２次サービングセルの待ち行列内の前記フローに対応する前記データをフラッシュすることと
をさらに備える、請求項４に記載の方法。
【請求項９】
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記１次サービングセルの前記セル品質が所定のしきい値を下回るときに、前記ＵＥに関連する前記アクティブセットから前記１次サービングセルを除去することと、
前記１次サービングセルの待ち行列内の前記フローに対応する前記データをフラッシュすることと
をさらに備える、請求項４に記載の方法。
【請求項１０】
前記モビリティイベントは、所定のしきい値に達し、所定の時間にわたり前記所定のしきい値を維持する特定のサービングセルのＥc／Ｉ0のＵＥ測定値である、請求項４に記載の方法。
【請求項１１】
前記モビリティイベントは、所定のしきい値を下回り、所定の時間にわたり前記所定のしきい値を維持する特定のサービングセルのＥc／Ｉ0のＵＥ測定値である、請求項４に記載の方法。
【請求項１２】
ワイヤレス通信のための装置であって、
それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信するための手段と、
サービングセル変更を実行するための手段であって、前記第１の基地局または前記第２の基地局が、前記ＵＥに対するサービングセルとしての活動を続ける手段と、
前記サービングセル変更前の前記フローに対応するデータを、前記サービングセル変更後に前記ＵＥに送信するための前記活動サービングセルの待ち行列内で維持するよう求める命令を前記活動サービングセルに送るための手段と、
を備える装置。
【請求項１３】
前記第１のサービングセルおよび前記第２のサービングセルのセル品質をランク付けした報告を前記ＵＥから受信するための手段であって、前記ランク付けされたセル品質による最強のセル品質に基づいて前記活動サービングセルが選択される手段
をさらに備え、
前記活動サービングセルは１次サービングセルであり、非選択サービングセルは２次サービングセルである、請求項１２に記載の装置。
【請求項１４】
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、請求項１３に記載の装置。
【請求項１５】
コンピュータに、それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信させるための命令と、
コンピュータに、本願請求項１−１１のうちのいずれかにしたがった方法を実行させるための命令と、
を備えるコンピュータ可読媒体
を備えるコンピュータプログラム製品。
【手続補正２】
【補正対象書類名】明細書
【補正対象項目名】０１１２
【補正方法】変更
【補正の内容】
【０１１２】
[00129]以上の説明は、いかなる当業者も本明細書に記載された様々な態様を実行することを可能にするために提供される。これらの態様に対する様々な変更は当業者には容易に明らかであり、本明細書に定義された一般原理は他の態様に適用され得る。したがって、特許請求の範囲は、本明細書に示された態様に限定されるものではなく、特許請求の範囲の言い回しに矛盾しない全範囲を与えられるべきであり、単数形の要素への言及は、そのように明記されていない限り、「唯一無二」を意味するものではなく、むしろ「１つまたは複数」を意味するものである。別段に明記されない限り、「いくつか」という語は１つまたは複数を表す。項目のリスト「のうちの少なくとも１つ」を指す語句は、個々のメンバーを含む、それらの項目の任意の組合せを指す。一例として、「ａ、ｂまたはｃのうちの少なくとも１つ」は、ａと、ｂと、ｃと、ａおよびｂと、ａおよびｃと、ｂおよびｃと、ａ、ｂおよびｃとを包含するものである。当業者に知られている、または後で知られるようになる、本開示全体を通して記載された様々な態様の要素の構造的および機能的な均等物のすべては、参照により本明細書に明確に組み込まれ、特許請求の範囲によって包含されるものである。その上、本明細書に開示されたいかなることも、そのような開示が特許請求の範囲に明示的に列挙されているかどうかにかかわらず、公に供されるものではない。いかなるクレーム要素も、その要素が「手段」という語句を使用して明白に記載されていない限り、または方法クレームの場合には、その要素が「ステップ」という語句を使用して記載されていない限り、米国特許法第１１２条第６項の規定に基づいて解釈されるものではない。
以下に本願発明の当初の特許請求の範囲に記載された発明を付記する。
［Ｃ１］
ワイヤレス通信の方法であって、
それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信することと、
サービングセル変更を実行することであって、前記第１の基地局または前記第２の基地局が、前記ＵＥに対するサービングセルとしての活動を続けることと、
前記サービングセル変更前の前記フローに対応するデータを、前記サービングセル変更後に前記ＵＥに送信するための前記活動サービングセルの待ち行列内で維持するよう求める命令を前記活動サービングセルに送ることと、
を備える方法。
［Ｃ２］
前記第１のサービングセルおよび前記第２のサービングセルのセル品質をランク付けした報告を前記ＵＥから受信することであって、前記ランク付けされたセル品質による最強のセル品質に基づいて前記活動サービングセルが選択されること
をさらに備え、
前記活動サービングセルは１次サービングセルであり、非選択サービングセルは２次サービングセルである、Ｃ１に記載の方法。
［Ｃ３］
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、Ｃ２に記載の方法。
［Ｃ４］
前記サービングセル変更前の前記フローに対応するデータを、前記サービングセル変更後に前記ＵＥに送信するための前記活動サービングセルの待ち行列内で維持するよう求める命令を前記活動サービングセルに送ること
をさらに備える、Ｃ３に記載の方法。
［Ｃ５］
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記１次サービングセルの前記セル品質が前記２次サービングセルの前記セル品質を上回るときに、前記２次セルを前記１次サービングセルに置き換えることによって、２次サービングセル変更を実行することであって、前記１次サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることと
をさらに備える、Ｃ４に記載の方法。
［Ｃ６］
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記近隣サービングセルの前記セル品質が前記２次サービングセルの前記セル品質を上回るときに、前記２次セルを前記近隣サービングセルに置き換えることによって、２次サービングセル変更を実行することであって、前記近隣サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることと
をさらに備える、Ｃ４に記載の方法。
［Ｃ７］
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記新しい１次サービングセルの待ち行列内で前記フローに対応する前記データを維持することと、
前記１次サービングセルの待ち行列内の前記フローに対応する前記データをフラッシュすることと
をさらに備える、Ｃ４に記載の方法。
［Ｃ８］
前記２次サービングセルの前記セル品質が所定のしきい値を下回るときに、前記ＵＥに関連する前記アクティブセットから前記２次サービングセルを除去することと、
前記２次サービングセルの待ち行列内の前記フローに対応する前記データをフラッシュすることと
をさらに備える、Ｃ４に記載の方法。
［Ｃ９］
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記１次サービングセルの前記セル品質が所定のしきい値を下回るときに、前記ＵＥに関連する前記アクティブセットから前記１次サービングセルを除去することと、
前記１次サービングセルの待ち行列内の前記フローに対応する前記データをフラッシュすることと
をさらに備える、Ｃ４に記載の方法。
［Ｃ１０］
前記モビリティイベントは、所定のしきい値に達し、所定の時間にわたり前記所定のしきい値を維持する特定のサービングセルのＥc／Ｉ0のＵＥ測定値である、Ｃ４に記載の方法。
［Ｃ１１］
前記モビリティイベントは、所定のしきい値を下回り、所定の時間にわたり前記所定のしきい値を維持する特定のサービングセルのＥc／Ｉ0のＵＥ測定値である、Ｃ４に記載の方法。
［Ｃ１２］
ワイヤレス通信のための装置であって、
それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信するための手段と、
サービングセル変更を実行するための手段であって、前記第１の基地局または前記第２の基地局が、前記ＵＥに対するサービングセルとしての活動を続ける手段と、
前記サービングセル変更前の前記フローに対応するデータを、前記サービングセル変更後に前記ＵＥに送信するための前記活動サービングセルの待ち行列内で維持するよう求める命令を前記活動サービングセルに送るための手段と、
を備える装置。
［Ｃ１３］
前記第１のサービングセルおよび前記第２のサービングセルのセル品質をランク付けした報告を前記ＵＥから受信するための手段であって、前記ランク付けされたセル品質による最強のセル品質に基づいて前記活動サービングセルが選択される手段
をさらに備え、
前記活動サービングセルは１次サービングセルであり、非選択サービングセルは２次サービングセルである、Ｃ１２に記載の装置。
［Ｃ１４］
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、Ｃ１３に記載の装置。
［Ｃ１５］
前記サービングセル変更前の前記フローに対応するデータを、前記サービングセル変更後に前記ＵＥに送信するための前記活動サービングセルの待ち行列内で維持するよう求める命令を前記活動サービングセルに送るための手段
をさらに備える、Ｃ１４に記載の方法。
［Ｃ１６］
前記近隣サービングセルの前記セル品質が前記１次サービングセルの前記セル品質を上回るときに、前記１次サービングセルを前記近隣サービングセルに置き換えることによって、１次サービングセル変更を実行するための手段であって、前記近隣サービングセルが新しい１次サービングセルになる手段と、
前記１次サービングセルの前記セル品質が前記２次サービングセルの前記セル品質を上回るときに、前記２次セルを前記１次サービングセルに置き換えることによって、２次サービングセル変更を実行するための手段であって、前記１次サービングセルが新しい２次サービングセルになる手段と、
前記新しい１次サービングセルの待ち行列内で前記フローに対応する前記データを維持するための手段と、
前記２次サービングセルの待ち行列内の前記フローに対応する前記データをフラッシュするための手段と、
をさらに備える、Ｃ１５に記載の装置。
［Ｃ１７］
前記２次サービングセルの前記セル品質が前記１次サービングセルの前記セル品質を上回るときに、前記１次サービングセルを前記２次サービングセルに置き換えることによって、１次サービングセル変更を実行するための手段であって、前記２次サービングセルが新しい１次サービングセルになる手段と、
前記近隣サービングセルの前記セル品質が前記２次サービングセルの前記セル品質を上回るときに、前記２次セルを前記近隣サービングセルに置き換えることによって、２次サービングセル変更を実行するための手段であって、前記近隣サービングセルが新しい２次サービングセルになる手段と、
前記新しい１次サービングセルの待ち行列内で前記フローに対応する前記データを維持するための手段と、
前記２次サービングセルの待ち行列内の前記フローに対応する前記データをフラッシュするための手段と、
をさらに備える、Ｃ１５に記載の装置。
［Ｃ１８］
前記近隣サービングセルの前記セル品質が前記１次サービングセルの前記セル品質を上回るときに、前記１次サービングセルを前記近隣サービングセルに置き換えることによって、１次サービングセル変更を実行するための手段であって、前記近隣サービングセルが新しい１次サービングセルになる手段と、
前記新しい１次サービングセルの待ち行列内で前記フローに対応する前記データを維持するための手段と、
前記１次サービングセルの待ち行列内の前記フローに対応する前記データをフラッシュするための手段と、
をさらに備える、Ｃ１５に記載の装置。
［Ｃ１９］
前記２次サービングセルの前記セル品質が所定のしきい値を下回るときに、前記ＵＥに関連する前記アクティブセットから前記２次サービングセルを除去するための手段と、
前記２次サービングセルの待ち行列内の前記フローに対応する前記データをフラッシュするための手段と、
をさらに備える、Ｃ１５に記載の装置。
［Ｃ２０］
前記２次サービングセルの前記セル品質が前記１次サービングセルの前記セル品質を上回るときに、前記１次サービングセルを前記２次サービングセルに置き換えることによって、１次サービングセル変更を実行するための手段であって、前記２次サービングセルが新しい１次サービングセルになる手段と、
前記１次サービングセルの前記セル品質が所定のしきい値を下回るときに、前記ＵＥに関連する前記アクティブセットから前記１次サービングセルを除去するための手段と、
前記１次サービングセルの待ち行列内の前記フローに対応する前記データをフラッシュするための手段と、
をさらに備える、Ｃ１５に記載の装置。
［Ｃ２１］
コンピュータに、それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信させるための命令と、
コンピュータに、サービングセル変更を実行させるための命令であって、前記第１の基地局または前記第２の基地局が、前記ＵＥに対するサービングセルとしての活動を続ける命令と、
コンピュータに、前記サービングセル変更前の前記フローに対応するデータを、前記サービングセル変更後に前記ＵＥに送信するための前記活動サービングセルの待ち行列内で維持するよう求める命令を前記活動サービングセルに送らせるための命令と、
を備えるコンピュータ可読媒体
を備えるコンピュータプログラム製品。
［Ｃ２２］
前記コンピュータ可読媒体が、
コンピュータに、前記第１のサービングセルおよび前記第２のサービングセルのセル品質をランク付けした報告を前記ＵＥから受信させるための命令であって、前記ランク付けされたセル品質による最強のセル品質に基づいて前記活動サービングセルが選択される命令
をさらに備え、
前記活動サービングセルは１次サービングセルであり、非選択サービングセルは２次サービングセルである、Ｃ２１に記載のコンピュータプログラム製品。
［Ｃ２３］
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、Ｃ２２に記載の装置。
［Ｃ２４］
前記コンピュータ可読媒体が、
コンピュータに、前記サービングセル変更前の前記フローに対応するデータを、前記サービングセル変更後に前記ＵＥに送信するための前記活動サービングセルの待ち行列内で維持するよう求める命令を前記活動サービングセルに送らせるための命令
をさらに備える、Ｃ２３に記載の方法。
［Ｃ２５］
前記コンピュータ可読媒体が、
コンピュータに、前記近隣サービングセルの前記セル品質が前記１次サービングセルの前記セル品質を上回るときに、前記１次サービングセルを前記近隣サービングセルに置き換えることによって、１次サービングセル変更を実行させるための命令であって、前記近隣サービングセルが新しい１次サービングセルになる命令と、
コンピュータに、前記１次サービングセルの前記セル品質が前記２次サービングセルの前記セル品質を上回るときに、前記２次セルを前記１次サービングセルに置き換えることによって、２次サービングセル変更を実行させるための命令であって、前記１次サービングセルが新しい２次サービングセルになる命令と、
コンピュータに、前記新しい１次サービングセルの待ち行列内で前記フローに対応する前記データを維持させるための命令と、
コンピュータに、前記２次サービングセルの待ち行列内の前記フローに対応する前記データをフラッシュさせるための命令と、
をさらに備える、Ｃ２４に記載のコンピュータプログラム製品。
［Ｃ２６］
前記コンピュータ可読媒体が、
コンピュータに、前記２次サービングセルの前記セル品質が前記１次サービングセルの前記セル品質を上回るときに、前記１次サービングセルを前記２次サービングセルに置き換えることによって、１次サービングセル変更を実行させるための命令であって、前記２次サービングセルが新しい１次サービングセルになる命令と、
コンピュータに、前記近隣サービングセルの前記セル品質が前記２次サービングセルの前記セル品質を上回るときに、前記２次セルを前記近隣サービングセルに置き換えることによって、２次サービングセル変更を実行させるための命令であって、前記近隣サービングセルが新しい２次サービングセルになる命令と、
コンピュータに、前記新しい１次サービングセルの待ち行列内で前記フローに対応する前記データを維持させるための命令と、
コンピュータに、前記２次サービングセルの待ち行列内の前記フローに対応する前記データをフラッシュさせるための命令と、
をさらに備える、Ｃ２４に記載のコンピュータプログラム製品。
［Ｃ２７］
前記コンピュータ可読媒体が、
コンピュータに、前記近隣サービングセルの前記セル品質が前記１次サービングセルの前記セル品質を上回るときに、前記１次サービングセルを前記近隣サービングセルに置き換えることによって、１次サービングセル変更を実行させるための命令であって、前記近隣サービングセルが新しい１次サービングセルになる命令と、
コンピュータに、前記新しい１次サービングセルの待ち行列内で前記フローに対応する前記データを維持させるための命令と、
コンピュータに、前記１次サービングセルの待ち行列内の前記フローに対応する前記データをフラッシュさせるための命令と、
をさらに備える、Ｃ２４に記載のコンピュータプログラム製品。
［Ｃ２８］
前記コンピュータ可読媒体が、
コンピュータに、前記２次サービングセルの前記セル品質が所定のしきい値を下回るときに、前記ＵＥに関連する前記アクティブセットから前記２次サービングセルを除去させるための命令と、
コンピュータに、前記２次サービングセルの待ち行列内の前記フローに対応する前記データをフラッシュさせるための命令と、
をさらに備える、Ｃ２４に記載のコンピュータプログラム製品。
［Ｃ２９］
前記コンピュータ可読媒体が、
コンピュータに、前記２次サービングセルの前記セル品質が前記１次サービングセルの前記セル品質を上回るときに、前記１次サービングセルを前記２次サービングセルに置き換えることによって、１次サービングセル変更を実行させるための命令であって、前記２次サービングセルが新しい１次サービングセルになる命令と、
コンピュータに、前記１次サービングセルの前記セル品質が所定のしきい値を下回るときに、前記ＵＥに関連する前記アクティブセットから前記１次サービングセルを除去させるための命令と、
コンピュータに、前記１次サービングセルの待ち行列内の前記フローに対応する前記データをフラッシュさせるための命令と、
をさらに備える、Ｃ２４に記載のコンピュータプログラム製品。
［Ｃ３０］
ワイヤレス通信のための装置であって、
少なくとも１つのプロセッサと、
前記少なくとも１つのプロセッサに結合されたメモリと、を備え、
前記少なくとも１つのプロセッサが、
それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信することと、
サービングセル変更を実行することであって、前記第１の基地局または前記第２の基地局が、前記ＵＥに対するサービングセルとしての活動を続けることと、
前記サービングセル変更前の前記フローに対応するデータを、前記サービングセル変更後に前記ＵＥに送信するための前記活動サービングセルの待ち行列内で維持するよう求める命令を前記活動サービングセルに送ることと、
を行うように構成された、装置。
［Ｃ３１］
前記少なくとも１つのプロセッサが、
前記第１のサービングセルおよび前記第２のサービングセルのセル品質をランク付けした報告を前記ＵＥから受信することであって、前記ランク付けされたセル品質による最強のセル品質に基づいて前記活動サービングセルが選択されること
を行うようにさらに構成され、
前記活動サービングセルは１次サービングセルであり、非選択サービングセルは２次サービングセルである、Ｃ３０に記載の装置。
［Ｃ３２］
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、Ｃ３１に記載の装置。
［Ｃ３３］
前記少なくとも１つのプロセッサが、
前記サービングセル変更前の前記フローに対応するデータを、前記サービングセル変更後に前記ＵＥに送信するための前記活動サービングセルの待ち行列内で維持するよう求める命令を前記活動サービングセルに送ること
を行うようにさらに構成された、Ｃ３２に記載の装置。
［Ｃ３４］
前記少なくとも１つのプロセッサが、
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記１次サービングセルの前記セル品質が前記２次サービングセルの前記セル品質を上回るときに、前記２次セルを前記１次サービングセルに置き換えることによって、２次サービングセル変更を実行することであって、前記１次サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることと、
を行うようにさらに構成された、Ｃ３３に記載の装置。
［Ｃ３５］
前記少なくとも１つのプロセッサが、
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記近隣サービングセルの前記セル品質が前記２次サービングセルの前記セル品質を上回るときに、前記２次セルを前記近隣サービングセルに置き換えることによって、２次サービングセル変更を実行することであって、前記近隣サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることと、
を行うようにさらに構成された、Ｃ３３に記載の装置。
［Ｃ３６］
前記少なくとも１つのプロセッサが、
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記新しい１次サービングセルの待ち行列内で前記フローに対応する前記データを維持することと、
前記１次サービングセルの待ち行列内の前記フローに対応する前記データをフラッシュすることと
を行うようにさらに構成された、Ｃ３３に記載の装置。
［Ｃ３７］
前記少なくとも１つのプロセッサが、
前記２次サービングセルの前記セル品質が所定のしきい値を下回るときに、前記ＵＥに関連する前記アクティブセットから前記２次サービングセルを除去することと、
前記２次サービングセルの待ち行列内の前記フローに対応する前記データをフラッシュすることと
を行うようにさらに構成された、Ｃ３３に記載の装置。
［Ｃ３８］
前記少なくとも１つのプロセッサが、
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記１次サービングセルの前記セル品質が所定のしきい値を下回るときに、前記ＵＥに関連する前記アクティブセットから前記１次サービングセルを除去することと、
前記１次サービングセルの待ち行列内の前記フローに対応する前記データをフラッシュすることと、
を行うようにさらに構成された、Ｃ３３に記載の装置。